(57)【要約】      （修正有）【課題】扉本体が開口部を閉塞する際に、扉本体を壁体の側に変位させて、扉本体と開口部の周囲とをパッキンを介して密着させ、簡易な構成で閉状態の扉における気密性又は水密性を確保する扉を提供する。【解決手段】昇降扉１０は、開口部の側方に設けられる一対のガイドレール１１と、ガイドレール１１の間に設けられる扉本体２０と、を備え、扉本体２０における外側方には、ガイドレール１１・１１の内部で回転可能とされるガイドローラ２６Ｕ・２６Ｄが設けられ、開口部の周囲にはパッキンが設けられ、扉本体２０が開口部を閉塞する際に、ガイドレール１１がガイドローラ２６Ｕ・２６Ｄを案内して扉本体２０を壁体Ｗの側に変位させることにより、扉本体２０の周縁部がパッキンを押圧する。【選択図】図１
2020023820.tif 000002
【特許請求の範囲】
【請求項１】
開口部が形成された壁体に設けられる一対のガイドレールと、
前記一対のガイドレールの間で、前記一対のガイドレールに沿ってスライド可能に設けられる扉本体と、を備え、
前記扉本体がスライドすることにより前記開口部を開閉する扉であって、
前記扉本体における前記一対のガイドレールの側には、前記ガイドレールの側に延出された軸心回りに、前記ガイドレールの内部で回転可能とされるガイドローラが設けられ、
前記開口部の周囲と前記扉本体の周縁部とのうちいずれか一方には、前記扉本体が前記開口部を閉塞した際に他方と当接するパッキンが設けられ、
前記扉本体が前記開口部を閉塞する際に、前記ガイドレールが前記ガイドローラを案内して前記扉本体を前記壁体の側に変位させることにより、前記他方が前記パッキンを押圧する、扉。
【請求項２】
前記扉本体には、前記扉本体のスライド方向に沿って複数個の前記ガイドローラが設けられ、
前記複数個のガイドローラは、前記スライド方向のうち前記扉本体が前記開口部を閉塞する際にスライドする側に設けられた閉塞側ガイドローラと、前記スライド方向のうち前記扉本体が前記開口部を開放する際にスライドする側に設けられた開放側ガイドローラと、であって、
前記閉塞側ガイドローラは、前記開放側ガイドローラよりも径が小さく形成され、
前記ガイドレールの内周面のうち前記壁体から遠い側の面には、前記閉塞側ガイドローラを案内する閉塞側傾斜部と、前記開放側ガイドローラを案内する開放側傾斜部と、が形成される、請求項１に記載の扉。
【請求項３】
前記一対のガイドレールが前記壁体において上下方向に沿って設けられ、
前記扉本体は、前記一対のガイドレールに沿って昇降可能に設けられ、
前記扉本体が下降することにより前記開口部を閉塞する、請求項１又は請求項２に記載の扉。
【発明の詳細な説明】
【技術分野】
【０００１】
本発明は扉に関し、詳細にはガイドレールに沿ってスライドする扉のシール性能を高める技術に関するものである。
【背景技術】
【０００２】
従来、開口部が形成された壁体にガイドレールを設け、このガイドレールに沿って扉本体をスライドさせることにより、開口部を開閉可能とする扉が知られている（例えば、特許文献１を参照）。特許文献１に記載の扉においては、扉本体を駆動手段である電動モータに連結し、このモータを駆動させて扉本体をガイドレールに沿ってスライドさせることにより扉を開閉する構成としている。
【先行技術文献】
【特許文献】
【０００３】
【特許文献１】特開平１０−２６６７００号公報
【発明の概要】
【発明が解決しようとする課題】
【０００４】
上記の特許文献の如く、扉本体をガイドレールに沿ってスライドする構成において、扉を閉状態にした際に気密性又は水密性を確保する場合、シール部材を扉本体に密着させる必要がある。しかし、シール部材を扉本体に押圧する構成を別途設けると、装置構成が大掛かりとなってしまう。
【０００５】
本発明は以上の如き状況に鑑みてなされたものであり、本発明が解決しようとする課題は、簡易な構成で扉を閉状態にした際の気密性又は水密性を確保することが可能となる扉を提供することである。
【課題を解決するための手段】
【０００６】
本発明は、上記課題を解決するために、以下に構成する扉を提供する。
【０００７】
（１）
開口部が形成された壁体に設けられる一対のガイドレールと、前記一対のガイドレールの間で、前記一対のガイドレールに沿ってスライド可能に設けられる扉本体と、を備え、前記扉本体がスライドすることにより前記開口部を開閉する扉であって、前記扉本体における前記一対のガイドレールの側には、前記ガイドレールの側に延出された軸心回りに、前記ガイドレールの内部で回転可能とされるガイドローラが設けられ、前記開口部の周囲と前記扉本体の周縁部とのうちいずれか一方には、前記扉本体が前記開口部を閉塞した際に他方と当接するパッキンが設けられ、前記扉本体が前記開口部を閉塞する際に、前記ガイドレールが前記ガイドローラを案内して前記扉本体を前記壁体の側に変位させることにより、前記他方が前記パッキンを押圧する、扉。
【０００８】
（２）
前記扉本体には、前記扉本体のスライド方向に沿って複数個の前記ガイドローラが設けられ、前記複数個のガイドローラは、前記スライド方向のうち前記扉本体が前記開口部を閉塞する際にスライドする側に設けられた閉塞側ガイドローラと、前記スライド方向のうち前記扉本体が前記開口部を開放する際にスライドする側に設けられた開放側ガイドローラと、であって、前記閉塞側ガイドローラは、前記開放側ガイドローラよりも径が小さく形成され、前記ガイドレールの内周面のうち前記壁体から遠い側の面には、前記閉塞側ガイドローラを案内する閉塞側傾斜部と、前記開放側ガイドローラを案内する開放側傾斜部と、が形成される、（１）に記載の扉。
【０００９】
（３）
前記一対のガイドレールが前記壁体において上下方向に沿って設けられ、前記扉本体は、前記一対のガイドレールに沿って昇降可能に設けられ、前記扉本体が下降することにより前記開口部を閉塞する、（１）又は（２）に記載の扉。
【発明の効果】
【００１０】
以上における本発明に係る扉は、以下に示す効果を奏する。
【００１１】
（１）の構成によれば、扉本体が開口部を閉塞する際に、扉本体を壁体の側に変位させて、扉本体と開口部の周囲とをパッキンを介して密着させることができるため、簡易な構成で閉状態の扉における気密性又は水密性を確保することが可能となる。
【００１２】
（２）の構成によれば、扉本体が開口部を閉塞する際に、開放側ガイドローラと閉塞側ガイドローラとのそれぞれが、開放側傾斜部と閉塞側傾斜部とによって案内されることにより、扉本体を壁体の側に変位させて、扉本体と開口部の周囲とをパッキンを介して密着させることができるため、簡易な構成で閉状態の扉における気密性又は水密性を確保することが可能となる。
【００１３】
（３）の構成によれば、扉本体が開口部を閉塞する際に、扉本体の自重を利用して扉本体を壁体の側に変位させて、扉本体と開口部の周囲とをパッキンを介して密着させることができるため、さらに簡易な構成で閉状態の扉における気密性又は水密性を確保することが可能となる。
【図面の簡単な説明】
【００１４】
【図１】第一実施形態に係る昇降扉の閉状態を示す正面図。
【図２】同じく昇降扉の開状態を示す正面図。
【図３】同じく昇降扉を示す斜視図。
【図４】図１におけるＸ−Ｘ線断面図。
【図５】昇降扉におけるガイドレールの図１におけるＹ−Ｙ線断面図。
【図６】（ａ）から（ｃ）は昇降扉が開状態から閉状態に移行する際の図４におけるＺ−Ｚ線断面図。
【発明を実施するための形態】
【００１５】
以下では図１から図６を用いて本発明に係る扉の一実施形態である昇降扉１０について説明する。本実施形態に係る昇降扉１０は、開口部Ｗａ（図２及び図４を参照）が形成された壁体Ｗにおいて、扉本体２０を昇降させることにより開口部Ｗａを開閉可能に構成されている。なお、本発明に係る扉の構成は、扉本体が昇降する昇降扉に限定されることはなく、例えば扉本体が水平方向にスライドする構成とすることも可能である。
【００１６】
扉本体２０は金属製部材を組み合わせて構成された、前後方向に厚みのある板状部材である。扉本体２０は、扉本体２０の両側に立設された一対のガイドレール１１・１１の間で、ガイドレール１１・１１に沿って上下方向にスライド可能に設けられる。ガイドレール１１・１１は、壁体Ｗにおける開口部Ｗａの両側方に、上下方向に沿って設けられる。上側部材１２は両端部がガイドレール１１・１１の上端部にそれぞれ連結され、壁体Ｗに固定される。本実施形態においては、二本のガイドレール１１・１１と上側部材１２とで、昇降扉１０における枠体を構成している。
【００１７】
図３及び図４に示す如く、ガイドレール１１・１１は互いに対向する側の面に溝形状１１ａが形成される。この溝形状１１ａの内部には扉本体２０から延出されるガイドローラ（開放側ガイドローラ２６Ｕ及び閉塞側ガイドローラ２６Ｄ）が挿入される。図３から図６に示す如く、本実施形態においてガイドレール１１における溝形状１１ａの内周面のうち、前側の面（壁体Ｗから遠い側の面）の下側半分の領域には、ガイドローラ２６Ｕ・２６Ｄを案内するための傾斜部材１３が設けられている。また、図３に示す如く、上側部材１２には上側部材１２を上下方向に貫通する二個の貫通孔１２ａ・１２ａが開口されている。貫通孔１２ａ・１２ａにはロープｒが挿通される。
【００１８】
扉本体２０は、側枠部材２１・２１、連結枠部材２２・２２、内部枠部材２３、前側パネル２４、及び、後側パネル２５を組み合わせて構成される。側枠部材２１・２１は扉本体２０の両側部に配置される。側枠部材２１・２１の上下端部は連結枠部材２２・２２で連結される。上側の連結枠部材２２には連結枠部材２２を上下方向に貫通する二個の貫通孔２２ａ・２２ａが開口されている。貫通孔２２ａ・２２ａにはロープｒが挿通される。
【００１９】
内部枠部材２３は側枠部材２１・２１の上下方向中央部を連結する。側枠部材２１・２１、連結枠部材２２・２２、及び、内部枠部材２３の前面及び後面には、それぞれ前側パネル２４及び後側パネル２５が固定される。
【００２０】
本実施形態においては図２及び図４に示す如く、壁体Ｗにおける開口部Ｗａの周囲には、扉本体２０が開口部Ｗａを閉塞した際に、扉本体２０における後側パネル２５の周縁部と当接する樹脂製のパッキンＰが設けられている（図６を参照）。なお、パッキンＰを後側パネル２５の周縁部に設けて、扉本体２０が開口部Ｗａを閉塞した際に壁体Ｗにおける開口部Ｗａの周囲とパッキンＰとが当接する構成とすることも可能である。
【００２１】
扉本体２０における側枠部材２１・２１からは、ガイドレール１１・１１の側（左右両側）の外側方に、扉本体２０のスライド方向である上下方向に沿って、各二個のガイドローラ２６Ｕ・２６Ｄが延出して設けられている。詳細には、側枠部材２１における外側面において、扉本体２０のスライド方向のうち扉本体２０が開口部Ｗａを開放する際にスライドする側である上側に、開放側ガイドローラ２６Ｕが設けられる。同様に、側枠部材２１における外側面において、扉本体２０のスライド方向のうち扉本体２０が開口部Ｗａを閉塞する際にスライドする側である下側に、閉塞側ガイドローラ２６Ｄが設けられる。
【００２２】
ガイドローラ２６Ｕ・２６Ｄは、ガイドレール１１・１１の側に延出された軸心回りに、ガイドレール１１・１１の内部（溝形状１１ａの内部）で回転可能とされる。これにより、扉本体２０がガイドレール１１・１１に沿ってスライドした際には、ガイドローラ２６Ｕ・２６Ｄがガイドレール１１・１１の溝形状１１ａ（より詳細には溝形状１１ａにおける前後面）に沿って回転する。図３及び図６に示す如く、閉塞側ガイドローラ２６Ｄは開放側ガイドローラ２６Ｕよりも径が小さく形成されている。
【００２３】
内部枠部材２３の上面には、動滑車である右側扉滑車３０Ｒ、及び、左側扉滑車３０Ｌが固定される。右側扉滑車３０Ｒは、固定部材３１Ｒに対して索輪３２Ｒが回動軸３３Ｒを介して回動自在に組付けられて構成される。また、左側扉滑車３０Ｌは、固定部材３１Ｌに対して索輪３２Ｌが回動軸３３Ｌを介して回動自在に組付けられて構成される。そして、右側扉滑車３０Ｒ及び左側扉滑車３０Ｌにはロープｒが巻回される。
【００２４】
壁体Ｗにおける開口部Ｗａの上側には一対の定滑車である第一定滑車４０及び第二定滑車５０が固定される。詳細には、第一定滑車４０及び第二定滑車５０は上側部材１２の貫通孔１２ａを挟んで固定される。第一定滑車４０は、固定部材４１に対して索輪４２が回動軸４３を介して回動自在に組付けられて構成される。第二定滑車５０は、固定部材５１に対して索輪５２が回動軸５３を介して回動自在に組付けられて構成される。第一定滑車４０及び第二定滑車５０には、ロープｒのうち左右の扉滑車３０Ｒ・３０Ｌを挟んだ両端部がそれぞれ巻回される。
【００２５】
図１及び図２に示す如く、ロープｒは第一定滑車４０よりも一端側（図１・図２における右側）で第一固定プーリＰ１に巻回され、さらに一端部がモータ側プーリＰｍに連結される。モータ側プーリＰｍは床面Ｇに配置された第一の駆動部である電動モータＭに接続されている。また、ロープｒは第二定滑車５０よりも他端側（図１における左側）で第二固定プーリＰ２に巻回され、さらに他端部がハンドル側プーリＰｈに連結される。ハンドル側プーリＰｈは床面Ｇに配置された第二の駆動部である手動ハンドルＨに接続されている。手動ハンドルＨは通常時（電動モータＭを主な駆動源として使用する時）には回動しないようにロックされている。
【００２６】
上記の如く構成された昇降扉１０において、第一の駆動部である電動モータＭが扉本体２０を昇降駆動する。具体的には、電動モータＭがモータ側プーリＰｍを駆動してロープｒを図１中の矢印Ｒ１の方向に巻き上げると、扉本体２０は図１中の矢印Ｕに示す如く上方に引き上げられる。逆に、電動モータＭがロープｒを図２中の矢印Ｒ３の方向に繰出すと、扉本体２０は自重により図２中の矢印Ｄに示す如く下方に降下する。このように、本実施形態に係る昇降扉１０においては、電動モータＭを駆動させて扉本体２０を昇降させることにより、扉本体２０がガイドレール１１・１１の間に形成された開口部Ｗａを開閉可能としている。
【００２７】
また、昇降扉１０においては、第二の駆動部である手動ハンドルＨによっても扉本体２０を昇降駆動することを可能としている。具体的には、使用者が手動ハンドルＨのロックを解除し、手動ハンドルＨを回動し、ハンドル側プーリＰｈを駆動する。これによりロープｒは図１中の矢印Ｒ２の方向に巻き上げられ、扉本体２０は図１中の矢印Ｕに示す如く上方に引き上げられる。逆に、使用者が手動ハンドルＨを逆向きに回動させることにより、ロープｒを図２中の矢印Ｒ４の方向に繰出すと、扉本体２０は自重により図２中の矢印Ｄに示す如く下方に降下する。このように、本実施形態に係る昇降扉１０においては、使用者が手動ハンドルＨを回動させて扉本体２０を昇降させることによっても、扉本体２０がガイドレール１１・１１の間に形成された開口部Ｗａを開閉可能としている。
【００２８】
本実施形態に係る昇降扉１０によれば上記の如く、第一の駆動部である電動モータＭ、及び／又は、第二の駆動部である手動ハンドルＨを駆動させることにより、扉本体２０を昇降可能としている。これにより、何らかの理由により電動モータＭによる扉本体２０の昇降が不能となった場合でも、手動ハンドルＨで扉本体２０を昇降させることにより、昇降扉１０を開閉することが可能となる。
【００２９】
また、本実施形態に係る昇降扉１０によれば、第一の駆動部として電動モータＭを採用し、第二の駆動部として手動ハンドルＨを採用している。これにより、通常時には電動モータＭを用いて電力により昇降扉１０を開閉可能としている。そして、停電等によって電動モータＭでの昇降扉１０の駆動が不能となった場合でも、手動ハンドルＨで扉本体を昇降させることにより昇降扉１０を開閉することを可能としている。
【００３０】
本実施形態に係る昇降扉１０においては、扉本体２０が開口部Ｗａを閉塞する際に、ガイドレール１１・１１がガイドローラ２６Ｕ・２６Ｄを案内して扉本体２０を壁体Ｗの側である後方に変位させるように構成される。具体的には、図３から図６に示す如く、ガイドレール１１における溝形状１１ａの内周面のうち、前側の面（壁体Ｗから遠い側の面）に傾斜部材１３が設けられる。そして、傾斜部材１３の上部には開放側ガイドローラ２６Ｕを案内するために、下側に向かうに従って後方に傾斜する開放側傾斜部１３ａが形成され、傾斜部材１３の下部にはと閉塞側ガイドローラ２６Ｄを案内するために、下側に向かうに従ってさらに後方に傾斜する閉塞側傾斜部１３ｂが形成されている。
【００３１】
より詳細には図５に示す如く、ガイドレール１１における溝形状１１ａの内周面の前側は、上から順に、傾斜部材１３が設けられていない第一の領域Ｇ１、傾斜部材１３のうち開放側傾斜部１３ａが形成される第二の領域Ｇ２、傾斜部材１３のうち開放側傾斜部１３ａと閉塞側傾斜部１３ｂとの間で床面Ｇに対して垂直に形成される第三の領域Ｇ３、傾斜部材１３のうち閉塞側傾斜部１３ｂが形成される第四の領域Ｇ４、及び、傾斜部材１３のうち閉塞側傾斜部１３ｂよりも下側で床面Ｇに対して垂直に形成される第五の領域Ｇ５で構成される。
【００３２】
また、図５及び図６に示す如く、開放側ガイドローラ２６Ｕの直径は、第三の領域Ｇ３におけるガイドレール１１内の幅寸法Ｈ１よりも少し小さく形成されている。また、閉塞側ガイドローラ２６Ｄの直径は、第五の領域Ｇ５におけるガイドレール１１内の幅寸法Ｈ２よりも少し小さく形成されている。
【００３３】
そして、図６（ａ）に示す如く、昇降扉１０が開状態から閉状態に遷移する際、扉本体２０が矢印Ｄ１に示すように下降すると、閉塞側ガイドローラ２６Ｄは第二の領域Ｇ２を経て、第三の領域Ｇ３へと進んでいく。この際、閉塞側ガイドローラ２６Ｄは、開放側ガイドローラ２６Ｕよりも小径に形成されているため開放側傾斜部１３ａとは当接せず、仮に軽く接触した場合でも開放側傾斜部１３ａにより案内されて変位することはない。
【００３４】
また、図６（ｂ）に示す如く、扉本体２０が矢印Ｄ２に示すようにさらに下降すると、閉塞側ガイドローラ２６Ｄは第四の領域Ｇ４において閉塞側傾斜部１３ｂに当接し、これにより閉塞側ガイドローラ２６Ｄが後方に案内される。同時に、開放側ガイドローラ２６Ｕは第二の領域Ｇ２において開放側傾斜部１３ａに当接し、これにより開放側ガイドローラ２６Ｕが後方に案内される。即ち、ガイドローラ２６Ｕ・２６Ｄが同時に後方に案内されることにより、扉本体２０は下降しながら矢印Ｓに示す如く後方に変位する。
【００３５】
さらに、図６（ｃ）に示す如く、閉塞側ガイドローラ２６Ｄが第四の領域Ｇ４と第五の領域Ｇ５との境界付近に到達すると、同時に開放側ガイドローラ２６Ｕが第二の領域Ｇ２と第三の領域Ｇ３との境界付近に到達する。そして、この際に扉本体２０がパッキンＰに当接し、扉本体２０における後側パネル２５の周縁部がパッキンＰを押圧するのである。
【００３６】
上記の如く、本実施形態に係る昇降扉１０においては、扉本体２０が開口部Ｗａを閉塞する際に、ガイドレール１１・１１における傾斜部材１３がガイドローラ２６Ｕ・２６Ｄを案内して扉本体２０を壁体Ｗの側に変位させる。これにより、扉本体２０における後側パネル２５の周縁部がパッキンＰを押圧するように構成されている。このように、本実施形態においては扉本体２０と開口部Ｗａの周囲とをパッキンＰを介して密着させることができるため、簡易な構成で閉状態の昇降扉１０における気密性又は水密性を確保することが可能となる。
【００３７】
なお、パッキンＰを後側パネル２５の周縁部に設けて、扉本体２０が開口部Ｗａを閉塞した際に壁体Ｗにおける開口部Ｗａの周囲とパッキンＰとが当接する構成としても良い。この場合は、扉本体２０が開口部Ｗａを閉塞する際に、扉本体２０が壁体Ｗの側に変位することにより、開口部Ｗａの周囲がパッキンＰを押圧するのである。
【００３８】
また、本実施形態に係る昇降扉１０においては、ガイドレール１１・１１の前側の内周面に傾斜部材１３を設け、傾斜部材１３に形成した開放側傾斜部１３ａと閉塞側傾斜部１３ｂとにより、それぞれ開放側ガイドローラ２６Ｕと閉塞側ガイドローラ２６Ｄとを案内する構成としている。これにより、簡易な構成で扉本体２０を壁体Ｗの側に変位させて、扉本体２０と開口部Ｗａの周囲とをパッキンを介して密着させることができるため、閉状態の昇降扉１０における気密性又は水密性を確保することが可能となる。
【００３９】
なお、扉本体２０を壁体Ｗの側に変位させる構成は、上記の如く開放側傾斜部１３ａと閉塞側傾斜部１３ｂとによる構成に限定されるものではない。例えば、扉本体２０の側面に屈曲したガイド溝を設け、ガイドレール１１・１１から扉本体２０に向けてガイド棒を延出し、このガイド棒をガイド溝に挿入する。そして、扉本体２０を昇降させることにより、ガイド溝の形状に沿って扉本体２０を変位させることも可能である。
【００４０】
また、本実施形態に係る昇降扉１０は、一対のガイドレール１１・１１が壁体Ｗにおいて上下方向に沿って設けられ、扉本体２０が下降することにより開口部Ｗａを閉塞する構成としている。これにより、扉本体２０が開口部Ｗａを閉塞する際に、扉本体２０の自重を利用して扉本体２０を壁体Ｗの側に変位させて、扉本体２０と開口部Ｗａの周囲とをパッキンＰを介して密着させることができる。即ち、本実施形態に係る昇降扉１０によれば、扉本体を水平にスライドさせる構成と比較して、より簡易な構成で閉状態における気密性又は水密性を確保することが可能となるのである。
【符号の説明】
【００４１】
１０            昇降扉（扉）       １１            ガイドレール   
１１ａ          溝形状             １２            上側部材       
１２ａ          貫通孔             １３            傾斜部材       
１３ａ          開放側傾斜部       １３ｂ          閉塞側傾斜部   
２０            扉本体             ２１            側枠部材       
２２            連結枠部材         ２２ａ          貫通孔         
２３            内部枠部材         ２４            前側パネル     
２５            後側パネル         ２６Ｕ          開放側ガイドローラ
２６Ｄ          閉塞側ガイドローラ
３０Ｌ          左側扉滑車         ３１Ｌ          左側固定部材   
３２Ｌ          左側索輪           ３３Ｌ          左側回動軸     
３０Ｒ          右側扉滑車         ３１Ｒ          右側固定部材   
３２Ｒ          右側索輪           ３３Ｒ          右側回動軸     
４０            第一定滑車         ４１            固定部材       
４２            索輪               ４３            回動軸         
５０            第二定滑車         ５１            固定部材       
５２            索輪               ５３            回動軸         
Ｇ            床面                 Ｍ            電動モータ     
Ｈ            手動ハンドル         Ｐｍ          モータ側プーリ 
Ｐｈ          ハンドル側プーリ
Ｐ１          第一固定プーリ       Ｐ２          第二固定プーリ 
Ｕ            矢印                 Ｄ            矢印           
Ｒ１〜４      矢印                 Ｇ１〜５      第一〜第五の領域      
Ｗ            壁体                 Ｗａ          開口部         
Ｐ            パッキン             ｒ            ロープ         
【図１】
2020023820.tif 000003
【図２】
2020023820.tif 000004
【図３】
2020023820.tif 000005
【図４】
2020023820.tif 000006
【図５】
2020023820.tif 000007
【図６】
2020023820.tif 000008